(57)【要約】無線通信内においてデータユニットの再送を効果的に制御する方法であって、その方法において、複数の補完的なフィードバックメカニズムが再送を制御するために用いられている。受信機は受信されたそれぞれのデータユニットの復号を試みる。データユニットの復号が成功した場合、受信機は、肯定フィードバックを送信機に送信する。データユニットの復号が成功しなかった場合、受信機は、否定フィードバックを送信機に送信する。全ての場合において、送信機は、少なくとも第１および第２フィードバックメカニズムを用いて肯定および否定フィードバックを送信する。一実施形態の例においては、それぞれのデータユニットの受信に応じて、第１の信頼性の低いチャネルで肯定応答（ＡＣＫ）および否定応答（ＮＡＣＫ）メッセージが送信され、特定のデータユニットのシーケンス番号を識別するステータスメッセージが、第２の信頼性の高いチャネルで送信される。送信機は、復号が成功したことを示すステータスメッセージの受信に応じて、送信機の送信ウィンドウからデータユニットを削除してもよい。【選択図】図１
2008543167.tif 000002
【特許請求の範囲】
【請求項１】
無線通信システム内においてデータユニットの再送を制御する方法であって、
送信機からの複数のデータユニットを受信機において受信するステップと、
前記複数のデータユニットのそれぞれの受信に応じて、前記受信機において前記データユニットの復号を試みるステップと、
前記データユニットの復号が成功した場合は、前記受信機による前記データユニットの復号が成功したことを前記送信機に通知する肯定フィードバックを、前記受信機から前記送信機に送信するステップと、
前記データユニットの復号が成功しなかった場合は、前記受信機による前記データユニットの復号が成功しなかったことを前記送信機に通知する否定フィードバックを、前記受信機から前記送信機に送信するステップと、
前記肯定あるいは否定フィードバックを送信するための、少なくともチャネル特性に関して異なる第１または第２フィードバックメカニズムを選択するステップと、
を含むことを特徴とする方法。
【請求項２】
請求項１に記載の方法であって、前記肯定フィードバックには肯定応答（ＡＣＫ：ＡＣＫｎｏｗｌｅｄｇｅｍｅｎｔ）メッセージを含み、前記否定フィードバックには否定応答（ＮＡＣＫ：Ｎｏｎ−ＡＣＫｎｏｗｌｅｄｇｅｍｅｎｔ）メッセージを含むことを特徴とする方法。
【請求項３】
請求項２に記載の方法であって、前記ＡＣＫおよびＮＡＣＫメッセージは同期フィードバックとしてのシングルデータビットから構成されることを特徴とする方法。
【請求項４】
請求項２に記載の方法であって、前記複数のデータユニットのそれぞれの受信に応じて、前記ＡＣＫおよびＮＡＣＫメッセージのうちいずれか１つが無条件で送信されることを特徴とする方法。
【請求項５】
請求項１に記載の方法であって、前記第１および第２フィードバックメカニズムは第１および第２無線チャネルを利用することを特徴とする方法。
【請求項６】
請求項２に記載の方法であって、さらに、前記受信機から前記送信機へステータスメッセージを送信するステップを含み、前記ステータスメッセージは前記複数のデータユニットの１つを識別する明示的な情報を含むことを特徴とする方法。
【請求項７】
請求項６に記載の方法であって、前記明示的な情報は、１以上の明示的なタイミングリファレンスを含むことを特徴とする方法。
【請求項８】
請求項６に記載の方法であって、前記明示的な情報は、１以上のデータユニットシーケンス番号を含むことを特徴とする方法。
【請求項９】
請求項６に記載の方法であって、前記ＡＣＫおよびＮＡＣＫメッセージは第１無線チャネルで送信され、前記ステータスメッセージは第２無線チャネルで送信されることを特徴とする方法。
【請求項１０】
請求項１に記載の方法であって、前記第１フィードバックメカニズムは信頼性の低い伝送方法を利用することを特徴とする方法。
【請求項１１】
請求項１に記載の方法であって、前記第２フィードバックメカニズムは信頼性の高い伝送方法を利用することを特徴とする方法。
【請求項１２】
請求項５に記載の方法であって、前記第１および第２無線チャネルは共通の搬送周波数を利用することを特徴とする方法。
【請求項１３】
請求項６に記載の方法であって、前記複数のデータユニットをあらかじめ決められた個数受信したとき、あるいは、あらかじめ決められたタイムインタバルの後に、前記ステータスメッセージが送信されることを特徴とする方法。
【請求項１４】
請求項６に記載の方法であって、前記ステータスメッセージは前記送信機からの要求に応じて送信されることを特徴とする方法。
【請求項１５】
請求項１４に記載の方法であって、前記送信機からの要求は、前記複数のデータユニットのうち１つのデータユニットの内部にあるフラグであることを特徴とする方法。
【請求項１６】
請求項８に記載の方法であって、前記ステータスメッセージは、順に受信が成功した複数の前記データユニットのうち最大の番号を有するデータユニットを示すシングルシーケンスポジション識別子を含むことを特徴とする方法。
【請求項１７】
請求項６に記載の方法であって、前記ステータスメッセージは、前記複数のデータユニットのうち正しく受信されたそれぞれのデータユニットに関するシーケンスポジション識別子を含むことを特徴とする方法。
【請求項１８】
請求項６に記載の方法であって、前記ステータスメッセージは、前記複数のデータユニットのうち正しく受信されなかったそれぞれのデータユニットに関するシーケンスポジション識別子を含むことを特徴とする方法。
【請求項１９】
請求項６に記載の方法であって、前記ステータスメッセージは、前記ステータスメッセージが正しく受信されたかどうかを前記送信機が検証するための巡回冗長検査（ＣＲＣ：Ｃｙｃｌｉｃ  Ｒｅｄｕｎｄａｎｃｙ  Ｃｈｅｃｋ）値を含むことを特徴とする方法。
【請求項２０】
請求項６に記載の方法であって、前記送信機は、対応する肯定応答（ＡＣＫ）メッセージの受信に応じて送信されたデータユニットを送信バッファから削除するのではなく、
前記受信機による前記データユニットの復号が成功したことを示すステータスメッセージの受信に応じて送信されたデータユニットを送信バッファから削除することを特徴とする方法。
【請求項２１】
請求項１に記載の方法であって、前記送信機は、前記否定フィードバックの受信に応じてデータユニットを再送することを特徴とする方法。
【請求項２２】
請求項２１に記載の方法であって、さらに、前記受信機によって前記否定フィードバックの送信内のエラーを検出する段階を含むことを特徴とする方法。
【請求項２３】
請求項２２に記載の方法であって、前記検出は、予期される再送データユニット以外のデータユニットを受信したか否かに基づいていることを特徴とする方法。
【請求項２４】
請求項２２に記載の方法であって、前期検出は、前記否定フィードバックが送信されたことで予期される再送データユニットの受信前に、タイマーが期限切れとなることに基づいていることを特徴とする方法。
【請求項２５】
請求項２４に記載の方法であって、前記肯定あるいは否定フィードバックは、前記タイマーの期限が切れることに応じて、前記第２フィードバックメカニズムを用いて送信されることを特徴とする方法。
【請求項２６】
無線通信システム内において使用される、受信されたデータユニットの再送を制御するよう機能する受信機の操作方法であって、前記方法は、
それぞれのデータユニットがシーケンス番号を含む、複数の前記データユニットを送信機から受信するステップと、
前記複数のデータユニットのそれぞれの受信に応じて、ぞれぞれの前記データユニットの復号を試みるステップと、
前記データユニットの復号が成功した場合は、前記受信機による前記データユニットの復号が成功したことを前記送信機に通知する肯定応答（ＡＣＫ）メッセージを前記送信機に送信するステップと、
前記データユニットの復号が成功しなかった場合は、前記受信機による前記データユニットの復号が成功しなかったことを前記送信機に通知する否定応答（ＮＡＣＫ）メッセージを前記送信機に送信するステップと、
前記複数のデータユニットに対応する１以上のシーケンスポジション識別子を含むステータスメッセージを、前記送信機に送信するステップと、
を含み、
前記ＡＣＫあるいはＮＡＣＫは、第１無線チャネルで前記送信機に送信され、
前記ステータスメッセージは、第２無線チャネルで前記送信機に送信される
ことを特徴とする方法。
【請求項２７】
請求項２６に記載の方法であって、前記ＡＣＫおよびＮＡＣＫメッセージはシングルビットから構成されることを特徴とする方法。
【請求項２８】
請求項２６に記載の方法であって、前記第１無線チャネルは信頼性の低い伝送方法を利用することを特徴とする方法。
【請求項２９】
請求項２６に記載の方法であって、前記第２無線チャネルは信頼性の高い伝送方法を利用することを特徴とする方法。
【請求項３０】
請求項２６に記載の方法であって、前記ステータスメッセージが、前記複数のデータユニットをあらかじめ決められた個数受信すると、自動的に送信されることを特徴とする方法。
【請求項３１】
請求項２６に記載の方法であって、前記ステータスメッセージは前記送信機からの要求に応じて送信されることを特徴とする方法。
【請求項３２】
請求項３１に記載の方法であって、前記送信機からの要求は、前記複数のデータユニットのうち１つのデータユニットの内部にあるフラグであることを特徴とする方法。
【請求項３３】
請求項２６に記載の方法であって、前記ステータスメッセージは、順に受信が成功した複数の前記データユニットのうち最大の番号を有するデータユニットを示すシングルシーケンスポジション識別子を含むことを特徴とする方法。
【請求項３４】
請求項２６に記載の方法であって、前記ステータスメッセージは、前記複数のデータユニットのうち正しく受信されたそれぞれのデータユニットに関するシーケンスポジション識別子を含むことを特徴とする方法。
【請求項３５】
請求項２６に記載の方法であって、前記ステータスメッセージは、前記複数のデータユニットのうち正しく受信されなかったそれぞれのデータユニットに関するシーケンスポジション識別子を含むことを特徴とする方法。
【請求項３６】
請求項２６に記載の方法であって、前記ステータスメッセージは、前記ステータスメッセージが正しく受信されたかどうかを前記送信機が検証するための巡回冗長検査（ＣＲＣ）値を含むことを特徴とする方法。
【請求項３７】
無線通信システム内において使用される、選択的にデータユニットを再送するよう機能する送信機の操作方法であって、前記方法は、
受信機に送信される複数のデータユニットを送信バッファ内に一時的に格納するステップと、
それぞれがシーケンス番号を含む前記複数のデータユニットを、前記受信機に送信するステップと、
前記受信機によって、前記複数のデータユニットのそれぞれの受信に応じて、前記受信機における前記データユニットの復号が試みられ、
前記データユニットの復号が成功した場合は、前記受信機による前記データユニットの復号が成功したことを前記送信機に通知する肯定応答（ＡＣＫ）メッセージが送信され、
前記データユニットの復号が成功しなかった場合は、前記受信機による前記データユニットの復号が成功しなかったことを前記送信機に通知する否定応答（ＮＡＣＫ）メッセージが送信され、
前記送信機は、前記肯定応答（ＡＣＫ）および否定応答（ＮＡＣＫ）メッセージを、第１無線チャネルで前記受信機から受信するステップと、
前記複数のデータユニットに対応する１以上のシーケンスポジション識別子を含むステータスメッセージを、第２無線チャネルで前記受信機から受信し、
前記受信機による前記データユニットの復号が成功したことを示すステータスメッセージに応じて、前記送信機は送信されたデータユニットを前記送信バッファから削除するステップと、
を含むことを特徴とする方法。
【請求項３８】
請求項３７に記載の方法であって、前記ＡＣＫおよびＮＡＣＫメッセージはシングルビットから構成されることを特徴とする方法。
【請求項３９】
請求項３７に記載の方法であって、前記ＡＣＫおよびＮＡＣＫメッセージは前記シーケンスポジション識別子を含まないことを特徴とする方法。
【請求項４０】
請求項３７に記載の方法であって、前記第１無線チャネルは信頼性の低い伝送方法を利用することを特徴とする方法。
【請求項４１】
請求項３７に記載の方法であって、前記第２無線チャネルは信頼性の高い伝送方法を利用することを特徴とする方法。
【請求項４２】
請求項３７に記載の方法であって、前記ステータスメッセージは前記送信機からの要求に応じて受信されることを特徴とする方法。
【請求項４３】
請求項４２に記載の方法であって、前記送信機からの要求は、前記複数のデータユニットのうち１つのデータユニットの内部にあるフラグであることを特徴とする方法。
【請求項４４】
請求項３７に記載の方法であって、前記ステータスメッセージは、順に受信が成功した複数の前記データユニットのうち最大の番号を有するデータユニットを示すシングルシーケンスポジション識別子を含むことを特徴とする方法。
【請求項４５】
請求項３７に記載の方法であって、前記ステータスメッセージは、前記複数のデータユニットのうち正しく受信されたそれぞれのデータユニットに関するシーケンスポジション識別子を含むことを特徴とする方法。
【請求項４６】
請求項３７に記載の方法であって、前記ステータスメッセージは、前記複数のデータユニットのうち正しく受信されなかったそれぞれのデータユニットに関するシーケンスポジション識別子を含むことを特徴とする方法。
【請求項４７】
請求項３７に記載の方法であって、前記ステータスメッセージは、前記ステータスメッセージが正しく受信されたかどうかを前記送信機が検証するための巡回冗長検査（ＣＲＣ）値を含むことを特徴とする方法。
【請求項４８】
請求項３７に記載の方法であって、前記送信機は、前記データユニットが搬送されなかったか、あるいは復号に失敗したことを示す、対応するＮＡＣＫメッセージあるいはステータスメッセージの受信に応じてデータユニットを再送することを特徴とする方法。
【発明の詳細な説明】
【技術分野】
【０００１】
本特許出願は、２００５年５月２３日に出願の、米国の仮出願番号６０／６８３６２１号に関する権利を請求するものであり、前述の出願の開示は、本特許出願内において参照されることによって行われる。
【０００２】
本発明は、概して無線通信に関し、特に伝送プロトコルに関する。
【背景技術】
【０００３】
多くのリンクレイヤープロトコルは、失敗した伝送に関して再伝送を行うことによって、信頼性の高いデータ伝送を維持している。失敗した伝送は、自動再送要求（ＡＲＱ：Ａｕｔｏｍａｔｉｃ  Ｒｅｐｅａｔ  ｒｅＱｕｅｓｔ）プロトコルに従い、肯定応答（ＡＣＫ：ＡＣＫｎｏｗｌｅｄｇｅｍｅｎｔ）メッセージおよび否定応答（ＮＡＣＫ：Ｎｏｎ‐ＡＣＫｎｏｗｌｅｄｇｅｍｅｎｔ）メッセージ等のフィードバックメッセージによって通知される。ＡＲＱメカニズムは、無線搬送媒体にとって特に重要であるが、有線のリンクにも用いられる。無線チャネルで作動するＡＲＱメカニズムの例としては、ＧＰＲＳ（Ｇｅｎｅｒａｌ  Ｐａｃｋｅｔ  Ｒａｄｉｏ  Ｓｅｒｖｉｃｅ）および広域ＣＤＭＡ（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）に関するＲＬＣプロトコル（ＲＬＣ：Ｒａｄｉｏ  Ｌｉｎｋ  Ｃｏｎｔｒｏｌ）、および、ＨＳＤＰＡ（Ｈｉｇｈ‐Ｓｐｅｅｄ  Ｄｏｗｎｌｉｎｋ  Ｐａｃｋｅｔ  Ａｃｃｅｓｓ）に関するＭＡＣ−ｈｓ（Ｍｅｄｉｕｍ  Ａｃｃｅｓｓ  Ｃｏｎｔｒｏｌ  ｈｉｇｈ−ｓｐｅｅｄ）内のＨＡＲＱ（Ｈｙｂｒｉｄ  ＡＲＱ）プロトコルが挙げられる。前述のプロトコルの問題点は、それらのプロトコルが高速で信頼性の高いフィードバックと無線資源の有効利用とを必ずしも提供しない点である。
【０００４】
いくつかの従来技術のプロトコルは、データフレームの受信が成功したかどうかを示す簡単で高速なＡＣＫ／ＮＡＣＫの概念を利用している。それらのプロトコルはフィードバック内でシーケンス番号を提供しないが、その代わりに、送信機および受信機が、固定のタイミング関係を利用することによって特定の伝送にフィードバックを暗黙的に関連付ける。このことは、同期フィードバック（ｓｙｎｃｈｒｏｎｏｕｓ  ｆｅｅｄｂａｃｋ）とよく呼ばれる。この手法の利点は、伝送資源の消費が比較的低いため、これらの短い信号は頻繁に送信可能である点である。しかし、それぞれのＡＣＫまたはＮＡＣＫがシングルビットである場合、符号化利得（ｃｏｄｉｎｇ  ｇａｉｎ）の達成は不可能であるか、あるいは制限される。このように、前述のようなシングルビットのＡＣＫまたはＮＡＣＫは、受信機において誤って解釈される危険がある。フェージングディップ（ｆａｄｉｎｇ  ｄｉｐ）によってエラー確率はさらに高くなり、非常に低いエラー率の達成には、「最悪の場合の」ディップを補う非常に多くの資源を消費することがありうる。したがって、非常に低いエラー率が要求される場合、伝送電力を増すか、または情報を再送するかのいずれかの方法を用いないと達成できないため、前述のような信号送信も資源の消費が大きい。しかし、それぞれのフィードバックメッセージは、対応するデータの伝送に対して時間的に整合が取れている必要があるため、それぞれのフィードバックメッセージの更新あるいは再送は不可能である。
【０００５】
他の階層のプロトコルは、フィードバックユニットまたは制御ユニット（これらは、ときどきステータスメッセージと呼ばれることもある）を用いる。そのようなメカニズムは、ウィンドウベースのＡＲＱプロトコルに関して適応される。フィードバックユニットは、シーケンス番号およびチェックサムを明示的に含んでもよく、そうすることでフィードバックメッセージの信頼性が確実なものとなりうる。正しく受信されなかったフィードバックメッセージは利用されず、データ送信者側で破棄される。更新されたフィードバックの伝送あるいは再送は、フィードバックの受信を確実とするために利用される。データユニットにシーケンス番号を付番し、フィードバックユニット内でそのシーケンス番号を参照するため、前述のフィードバックユニットは、対応するデータユニットに対してどのような時間的な整合も取れている必要が無いという点に注意されたい。この種のフィードバックメカニズムは非常に信頼性が高いという利点があるが、同期ＡＣＫ／ＮＡＣＫフィードバックメカニズムと比較すると一般的に非常に遅い。
【発明の開示】
【発明が解決しようとする課題】
【０００６】
したがって、技術的に求められているものは、従来のＡＣＫ／ＮＡＣＫプロトコルの効率を達成し、一方、同時に明示的なフィードバックメッセージの信頼性を実現する、統合された伝送プロトコルである。前述の統合された伝送プロトコルは、単一のプロトコルエンティティ（ｐｒｏｔｏｃｏｌ  ｅｎｔｉｔｙ）内で実行されうるものであることが好ましく、同じプロトコルデータユニット、プロトコルステート（ｐｒｏｔｏｃｏｌ  ｓｔａｔｅ）およびロジックに基づいていることが好ましい。
【課題を解決するための手段】
【０００７】
従来技術の課題を解決するために、本発明は、無線通信内でデータユニットの再送を効果的に制御する、送信機および受信機に組み込まれた方法を提供する。本発明の原理によれば、再送を制御するために複数の補完的なフィードバックメカニズムが用いられる。一般に、受信機は、複数のデータユニットの受信に応じてそれぞれのデータユニットの復号を試みる。データユニットの復号が成功した場合、受信機は、送信機に肯定フィードバックを送信する。肯定フィードバックは、受信機によるデータユニットの復号が成功したことを送信機に通知する。データユニットの復号が成功しなかった場合、受信機は、送信機に否定フィードバックを送信する。否定フィードバックは、受信機によるデータユニットの復号が成功しなかったことを送信機に通知する。全ての場合において、受信機は、フィードバックを送信するために少なくとも第１および第２フィードバックメカニズムを用いる。
【０００８】
第１および第２フィードバックメカニズムは、第１および第２無線チャネルを用いる。第１および第２無線チャネルは共通の搬送周波数を共有してもよい。第１無線チャネルは、狭帯域チャネルであってもよいし、信頼性の低い伝送方法を用いてもよい。第２無線チャネルは、信頼性の高い伝送方法を用いることが好ましい。
【０００９】
肯定フィードバックには肯定応答（ＡＣＫ：ＡＣＫｎｏｗｌｅｄｇｅｍｅｎｔ）メッセージを含んでもよく、否定フィードバックには否定応答（ＮＡＣＫ：Ｎｏｎ−ＡＣＫｎｏｗｌｅｄｇｅｍｅｎｔ）メッセージを含んでもよい。肯定および否定フィードバックは、さらに、ステータスメッセージを含んでもよい。ステータスメッセージは、複数のデータユニットのうち１つのデータユニットを識別する１以上のシーケンス番号あるいはポジション識別子を含む。ステータスメッセージは、例えば、受信が成功した複数のデータユニットのうち最大の番号を有するデータユニットを示すシングルシーケンス番号であってもよいし、あるいは、正しく受信されたそれぞれのデータユニットに関するシーケンス番号あるいは正しく受信されなかったそれぞれのデータユニットに関するシーケンス番号のいずれか、または両方を含んでもよい。ステータスメッセージは、例えば、あらかじめ決められた個数のデータユニットを受信したときに自動的に送信されてもよい。あるいは、ステータスメッセージは、送信機からの要求に応じて送信されてもよい。前述の要求は、例えば、１つのデータユニット内のフラグであってもよい。
【００１０】
例示された実施形態においては、ＡＣＫおよびＮＡＣＫメッセージはシーケンス番号を含まず、信頼性の低い伝送方法を用いて第１無線チャネルで送信され、ステータスメッセージは信頼性の高い伝送方法を用いて第２無線チャネルで送信される。ＡＣＫおよびＮＡＣＫメッセージは、例えばシングルデータビットであってもよいし、複数のデータユニットのそれぞれの受信に応じて、無条件で送信されてもよい。送信機は、前記データユニットが搬送されなかったか、あるいは復号が成功しなかったことを示すＮＡＣＫメッセージあるいはステータスメッセージの受信に応じてデータユニットを再送することが好ましい。送信機は、ＡＣＫの受信時にデータユニットを送信バッファ（ｓｅｎｄ  ｂｕｆｆｅｒ）から削除するのではなく、受信機によるデータユニットの復号が成功したことを示すステータスメッセージの受信に応じて、データユニットを送信バッファから削除する。ステータスメッセージは、ステータスメッセージが正しく受信されたかどうかを送信機が検証するための巡回冗長検査（ＣＲＣ：Ｃｙｃｌｉｃ  Ｒｅｄｕｎｄａｎｃｙ  Ｃｈｅｃｋ）値を含んでもよい。
【００１１】
本方法は、さらに、受信機によって否定フィードバックの送信におけるエラーを検出するステップを含んでもよい。エラーは、否定フィードバックが送信されたことで予期される再送データユニットの受信より前に、タイマーが期限切れとなることによって示されてもよい。前述のようなエラーが検出された場合には、ペンディングの肯定あるいは否定フィードバックは第２フィードバックメカニズムを用いて再送されることが好ましい。
【００１２】
前述では、本発明の属する技術の分野における通常の知識を有する者が後述に例示される実施形態の詳細な記述をさらによく理解することができるように、本発明の原理をかなり要約して概説した。本発明の属する技術の分野における通常の知識を有する者であれば、本発明と同一の目的を達成するための他の構成や方法を考案あるいは修正するための基礎として、開示された概念および例示された実施形態を容易に用いることができることを理解されたい。本発明の属する技術の分野における通常の知識を有する者であれば、前述のような同等の構造は、本特許出願において提供される特許請求の範囲によって定義される本発明の技術的思想と技術的視野の範疇から離れないこともまた理解できるであろう。
【発明を実施するための最良の形態】
【００１３】
本発明は、１つのプロトコル内に複数のフィードバック信号送信概念の利点を兼ね備える。このことは、特に分散型のアクセスネットワークアーキテクチャにおいて、例えば、自動再送要求（ＡＲＱ：Ａｕｔｏｍａｔｉｃ  Ｒｅｐｅａｔ  ｒｅＱｕｅｓｔ）プロトコルが基地局（あるいはアクセスポイント）および端末内で終了するときに可能である。集中型のアクセスネットワークアーキテクチャ内においては、本発明の利点は、例えば、リレーＡＲＱ概念と組み合わされて達成される。（参照：Ｈ．  Ｗｉｅ−ｍａｎｎ，  Ｍ．  Ｍｅｙｅｒ，  Ｒ．  Ｌｕｄｗｉｇ，  Ｃ．Ｏ．Ｐ．，  Ａ  Ｎｏｖｅｌ  Ｍｕｌｔｉ−Ｈｏｐ  ＡＲＱ  Ｃｏｎｃｅｐｔ，  ＩＥＥＥ  ６１ｓｔ  Ｓｅｍｉａｎｎｕａｌ  Ｖｅｈｉｃｕｌａｒ  Ｔｅｃｈｎｏｌｏｇｙ  Ｃｏｎｆｅｒｅｎｃｅ  （ＶＴＣ），  Ｍａｙ  ３０  −  Ｊｕｎｅ  １，  ２００５.前述の文献は本書に参照として取り入れられる。）本発明は、２つ（あるいはそれ以上）の特定のフィードバックメカニズム上で２つ（あるいはそれ以上）の特定のフィードバックフォーマットを用いて、１つのプロトコルとして実装されることが好ましい。本書で後述されるように、フィードバックメカニズムは、信頼性、資源の消費、および遅延に関して、異なるチャネル特性を有してもよい。さらに、前述の２つ（あるいはそれ以上）のフィードバックフォーマットは、受信機の状態を示すために異なる手段を用いてもよい。以下に例を示す。
１．ＨＳ−ＤＳＣＨあるいはＥ−ＤＣＨ内の同期およびバイナリ（ＡＣＫ／ＮＡＣＫ）フィードバック；
このメカニズムは、データ伝送と対応するフィードバックとの間の固定のタイミング関係に依存する。
２．ＲＬＣ内の非同期および明示的フィードバック；
ステータスメッセージは、そのフィードバックが示すデータユニットを明示的に決定する識別子を含む。前述の識別子はシーケンス番号であってもよいし、あるいは明示的なタイミングリファレンス（ｔｉｍｉｎｇ  ｒｅｆｅｒｅｎｃｅ）であってもよい。
【００１４】
両方のフィードバックメッセージフォーマットは、同じプロトコルエンティティからの受信機情報を示しており、同じプロトコルデータユニット、プロトコルステート、およびロジックに関している。２つの異なるフィードバック通知メカニズムを用いる利点は、高速で、信頼性が高く、無線資源の利用効率が高いフィードバックの交換を達成するために、瞬時の無線状態および送信エラー状況に合わせて操作を調整することができる点である。
【００１５】
図１を参照すると、本発明の原理に基づく統合された再送プロトコルの概略図が示されている。データユニットは送信機１０２から受信機１０３に送信され１０１、送信機１０２および受信機１０３のそれぞれは、それ自身のプロトコルステートを維持するプロトコルの終点を定義する。双方向のデータ送信は、それぞれの方向において一対になった、１つの再送プロトコル送信機／受信機を用いることによって可能となる。図示されたように、受信機のプロトコルステートを示すために、２種類のフィードバックメカニズムが用いられる。それらのメカニズムは、肯定応答（ＡＣＫ）／否定応答（ＮＡＣＫ）自動再送要求（ＡＲＱ）メカニズム１０４とステータスメッセージメカニズム１０５である。再送プロトコルは、それぞれのプロトコルデータユニットにシーケンス番号を割り当てるウィンドウベースのＡＲＱプロトコルであると仮定される。シーケンス番号は、それぞれのプロトコルデータユニットを明確に識別し、どのデータユニットが正しく受信されどのデータユニットが再送される必要があるかを信号によって伝えるために用いられる。
【００１６】
ＡＣＫ／ＮＡＣＫフィードバックメカニズムに関しては、１つのタイムインタバルにつき２以上のデータユニットが存在する（ＭＩＭＯ等）場合がある。前述のような実施形態においては、１つのデータユニットにつき１ビットのフィードバックであってもよいし、あるいは、あらかじめ決定された個数のデータユニットにつき１ビットであってもよい。あるいは、同期フィードバックであれば）、１つのデータユニットにつき１ビットより多くのビットを用いてもよい。
【００１７】
次に、図１を参照しながら、図２を参照する。図２には、受信機１０３に関する再送プロトコルの概略的な方法を示したフロー図が示されている。以下に前述の方法を要約する。複数のデータユニットの受信に応じて（ステップ２０１）、受信機１０３はそれぞれのデータユニットの復号を試みる（ステップ２０２）。その後、前述の復号に応じて、送信機１０２にフィードバックを送信する（ステップ２０４）。データユニットの復号が成功した場合（ステップ２０３）は、受信機は送信機に肯定フィードバックを送信する（ステップ２０４ａ）。このとき、前述の肯定フィードバックは、受信機によるデータユニットの復号が成功したことを送信機に通知する。データユニットの復号が成功しなかった場合（ステップ２０３）は、受信機は否定フィードバックを送信機に送信する（ステップ２０４ｂ）。このとき、前述の否定フィードバックは、受信機によるデータユニットの復号が成功しなかったことを送信機に通知する。後述されるように、全ての場合において、送信機１０２はフィードバックメカニズムを選択し（ステップ２０５）、２以上のフィードバックメカニズムのうち１つを用いてフィードバックを送信する（ステップ２０６ａ、および２０６ｂ）。
【００１８】
次に、（図１および図２も参照し続けながら、）図３および図４を参照する。図３および図４は、送信機１０２と受信機１０３のそれぞれに関して、本発明の原理に基づく統合された再送プロトコルの実施形態例を示したフロー図である。再送の遅延を減じるために、受信機１０３は、送信が成功したか否かをできる限り早く知ることが望ましい。したがって、好適な実施形態においては、送信機１０２によって送信されたそれぞれのデータユニット（ステップ１０１）に対して、受信機１０３はフィードバックを送信する（ステップ２０４）。この実施形態においては、同期ＡＣＫ／ＮＡＣＫフィードバックは、各々のデータユニットの受信ごとに受信機１０３によって送信される（ステップ４０１）。受信機はデータユニットを復号しようと試みた後（ステップ２０２）、復号に成功すればＡＣＫを送信し（ステップ２０４ａ）、復号が成功しなければそのことを示すＮＡＣＫを送信する（ステップ２０４ｂ）。送信機１０２はＮＡＣＫを受信した（ステップ３０１）場合、対応するデータユニットを再送する（ステップ３０２）。しかし、このとき、送信機は、そのデータユニットを送信機内の送信バッファから削除しない。
【００１９】
いくつかのＡＲＱプロトコルは、データユニットのシーケンス番号を明示的に送信せず、フィードバックがどの送信に属するかを送信機が知るための固定されたタイミング構造に依存する。例えば、フレーム長が固定されていると仮定すると、送信機はフレームｘにおいて送信されたデータユニットに対して、フレームｘ＋４においてフィードバックが送信されると予期する。フィードバック情報は、フィードバックが送信される時間に関連付けられているため、与えられたデータユニットに関するステータスは１度しか示すことができず、消失したかあるいはエラーとなったフィードバック信号を回復するために、再度指示することはできない。
【００２０】
本発明の原理によれば、第１フィードバックメカニズムは、ＡＣＫ／ＮＡＣＫフィードバックを送信するために用いられ、非常に狭帯域で（無線資源に関して）ローコストであるが比較的信頼性の低いフィードバックフォーマットを利用する。第２フィードバックメカニズムは、明示的なフィードバックメッセージ（ステータスメッセージ）に基づく追加的なフィードバックを送信するために用いられ、より信頼性の高いフィードバックフォーマットを利用することが好ましい。図４に示されるように、受信機１０３は、それぞれの受信データユニットに対するＡＣＫ／ＮＡＣＫメッセージの送信に加えて、定期的なステータスメッセージも送信する（ステップ４０２）。
【００２１】
それぞれのステータスメッセージは、１以上のシーケンスポジション識別子を含んでいる。シーケンスポジション識別子は、受信機による伝送が試みられたタイムインタバルを参照する明示的なタイミングリファレンス、あるいはそれぞれの特定のデータユニットに関連付けられたシーケンス番号であってもよい。前述のようなステータスメッセージは、前述されたポジション識別子によって識別されるデータの受信状態について、送信機に通知する。リファレンスポイントとしてシーケンス番号あるいは明示的なタイミングリファレンスを用いる利点は、フィードバックの送信に関して厳密なタイミングが要求されない点である。この非同期ステータスメッセージはリファレンスポイントを含んでいるため、数フレーム遅延したとしても、送信機１０２によって解釈されうる。このことは、連続するステータスメッセージが同じデータユニットについての情報を含む場合は、ステータスメッセージの消失は追加的な遅延を引き起こすだけであるため、そのことがプロトコルの信頼性を高める、ということを暗示している。
【００２２】
ステータスメッセージは、例えば、明示的に与えられたシーケンス番号あるいは送信時点までに、全てのデータユニットが正しく受信されたことを示してもよい。そのようなステータスメッセージは、累積型送達確認（ｃｕｍｕｌａｔｉｖｅ  ａｃｋｎｏｗｌｅｄｇｅｍｅｎｔ）と呼ばれることがある。また、ステータスメッセージは、正しく受信された、あるいは正しく受信されなかったデータユニットのリストを含んでもよい。データユニットのリストは、さらに効率的な伝送のために、ビットマップ形式で圧縮されてもよい。さらに、正しく受信されたステータス情報が送信ウィンドウ操作のために用いられることを確実とするために、ステータスメッセージは、巡回冗長検査（ＣＲＣ）値を含んでもよい。送信機１０２は、１以上のデータユニットの復号が成功したことを示すステータスメッセージを受信すると（ステップ３０３）、その後、識別されたデータユニットを送信機の送信バッファから削除する（ステップ３０４）。
【００２３】
実施形態の一例においては、メッセージが長いため、ステータスメッセージは、より効果的な符号化を利用する第２無線チャネルで送信される。しかし、時間的な整合性は必ずしも必要ではない。さらに、これらのメッセージのエラー率は、第１チャネルで送信されるエラー率と異なっていてもよい。
【００２４】
本発明に特有の利点は、両方のフィードバックメカニズムが１つのプロトコルエンティティによって提供され、同じプロトコルステートに基づくことができる点である。このことは、フィードバックの送信に最低限の資源しか消費せずに、少ない遅延と高い信頼性の両方が達成できることを意味する。さらに、無線の状態および／またはエラーパターンに依存して、フィードバック方法を適応させることができる。このことは、本発明以外の方法では、複雑なレイヤー間通信を用いなければ可能とならない。統合された再送プロトコルは、同期ＡＲＱプロトコルと比較して低いエラー率と、非同期ウィンドウベースのプロトコルと比較して速いエラー修正を可能とする。両方の利点が、フィードバックに関して低レベルの資源しか消費せずに達成されうる。
【００２５】
両方のフィードバックメッセージが同じプロトコルステートに属する情報を信号送信するため、同期ＮＡＣＫ信号は再送を引き起こすために用いられる可能性があるが、ＡＣＫは送信機の送信バッファからのデータの削除を引き起こさない。これは、１ビットのＡＣＫ／ＮＡＣＫメッセージは信頼性が高くない、すなわち、送信機１０２は簡単にＮＡＣＫをＡＣＫと解釈する可能性があることに起因する。送信機１０２が、前述のような誤解釈に基づいて、送信ウィンドウを進める（ａｄｖａｎｃｅ）か、あるいは送信バッファからデータユニットを削除すると、結果として修復不可能なデータの消失が起こる。したがって、信頼性の高いステータスメッセージが、送信機の送信バッファからのデータユニットの削除を引き起こすために用いられる（図３；ステップ３０３およびステップ３０４）。このことは図５に図示されている。
【００２６】
図５は、送信機の送信バッファに関する本発明の操作を示している。送信機１０２は、送信されたデータユニットを保持する送信バッファを備えている。図示されたように、データユニットＤ１が最初に送信され、続けてデータユニットＤ２、Ｄ３、およびＤ４が送信される。それぞれのデータユニットは、送信されると、送信バッファ内に格納される。このように、データユニットＤ４の送信後に、データユニットＤ１〜Ｄ４が送信バッファ内に格納される。受信機においては、それぞれのデータユニットが復号され、ＡＣＫあるいはＮＡＣＫが送信機に返信される。例えば、図５に示されるように、データユニットＤ１は復号に成功し、したがって肯定応答（ＡＣＫ）Ａ１が送信機に返信される。しかし、データユニットＤ２は復号に成功しなかったため、否定応答（ＮＡＣＫ）Ｎ２が送信機に返信され、Ｎ２がデータユニットＤ２の再送を引き起こす。データユニットＤ３およびＤ４も復号に成功し、したがって、ＡＣＫ  Ａ３およびＡ４が送信機に返信される。この時点で、データユニットＤ１〜Ｄ４はまだ送信バッファ内に存在する。次にステータスメッセージ５０１が受信される。ステータスメッセージはデータユニットＤ１、Ｄ３およびＤ４の成功した復号のステータスを肯定応答（Ａ）として識別し、データユニットＤ２の成功しなかった復号のステータスを否定応答（Ｎ）として識別する。ステータスメッセージは、信頼性が高いという特性を有するため、送信機は、この時、データユニットＤ２のみを残し、データユニットＤ１、Ｄ３およびＤ４を送信機の送信バッファから削除する。図示された例では、再送されたデータユニットＤ２の復号は成功し、ＡＣＫ  Ａ２が送信機に送信される。しかし、データユニットＤ２の復号が成功したことを示すステータスメッセージ５０２が続けて受信されるまで、データユニットＤ２は送信バッファから削除されない。図示された例では、ステータスメッセージ５０２が受信された後、送信バッファは空となる。
【００２７】
両方のフィードバックメッセージが同じプロトコルステートに属する情報を信号送信するが、ＮＡＣＫ信号が再送を引き起こすために用いられうる。一方、ＡＣＫは送信バッファからの対応するデータユニットの削除を引き起こさない。これは、１ビットのＡＣＫ／ＮＡＣＫメッセージは信頼性が高くないことに起因する。送信機によってＮＡＣＫがＡＣＫであると誤解釈された場合、送信機は、送信ウィンドウを進めるか、あるいは送信バッファからデータユニットを削除し、その結果、修復不可能なデータの消失が起こる。このことを避けるため、信頼性の高いステータスメッセージが送信機の送信バッファからのデータの削除を引き起こすことが好ましい。
【００２８】
前述のように、ＡＣＫおよびＮＡＣＫフィードバックは１ビットであってもよい。しかし、シングルビットの肯定応答メッセージを用いることの潜在的な問題は、ＮＡＣＫが誤ってＡＣＫとして受信される可能性がある点である。すなわち、受信機１０３は、データユニットを正しく受け取らずＮＡＣＫ信号で応えるが、送信機１０２は、この信号をＡＣＫとして解釈し、データが正しく受信されたと誤解するのである。プロトコルが非同期で操作されたと仮定すると（すなわち、ＮＡＣＫの受信との固定されたオフセットを用いずに再送が行われたとすると）、受信機１０３は、正しく受信されなかったデータユニットの予期される再送がいつ起こるかを知ることができない。このように、ＮＡＣＫからＡＣＫへのエラーが起こったことを、受信機が即座に検出することは不可能である。この問題を解決するために、受信機のタイマーが利用されてもよい。受信機のタイマーは、送信が成功しなかったデータユニットの受信時に開始される。あるいは、タイマーは、対応するＮＡＣＫが送信された時、または同様の関連したイベント発生時に開始されてもよい。タイマーは、予期される再送データユニットが受信され、そのデータの復号に成功した場合に、停止される。しかし、再送データユニットが受信されてもそのデータがまだ復号できない場合、すなわち、送信エラーが続く場合は、タイマーは再度開始される。フィードバックの送信におけるエラーは、予期される再送データユニットが受信される前にタイマーが期限切れとなることによって示される。そのようなエラーの場合は、フィードバックは第２フィードバックメカニズムを用いて再送される。さらに、予期される再送データユニットではなく新しいデータが受信された場合は、受信機は第２フィードバックフォーマットを用いてフィードバックを再送し、タイマーを停止する。
【００２９】
図６ａおよび６ｂには、タイマーの操作を説明したメッセージシーケンス図が示されている。図６ａには、送信エラーが発生したが、ＮＡＣＫが正しく受信された場合が示されている。この場合、タイマーは開始されるが、予期された通りに再送データユニットが届き、タイマーが停止される。図６ｂには、送信エラーが発生し、送信機によってＮＡＣＫが正しく受信されなかった、すなわち、送信機がＮＡＣＫをＡＣＫとして解釈した場合が示されている。送信機は、さらに要求された処理がないと信じているため、受信機によって予期されているデータユニットの再送を行わず、最終的にタイマーが期限切れとなる。タイマーが期限切れとなると、再送を要求する別のフィードバックメッセージが送信機に送信される。このフィードバックメッセージは、信頼性の高い方法用いて送信される。そのメッセージは、どのデータユニットを再送すべきかという情報の他に、送信機による正しい解釈を確実とするためのＣＲＣ値等のメカニズムも含んでいる。送信機がこのフィードバックメッセージを受信し、データユニットの搬送が成功しなかったことを知ると、送信機は識別されたデータユニットを再送する。
【００３０】
次に、図７ａおよび図７ｂを参照する。図７ａおよび図７ｂには、タイマーの操作を説明する、更なるメッセージシーケンス図が示されている。図７ａには、ＮＡＣＫからＡＣＫへのエラーは発生しないが、再送がデータユニットの復号成功のためには十分でなく、２度目のＮＡＣＫが送信される場合が示されている。タイマーが再度開始され、新しい再送が予期される。一度送信が成功すると、タイマーは停止される。最後に、図７ｂには、最初のデータユニットに関してＮＡＣＫからＡＣＫへのエラーが発生した場合が示されている。送信機は、第１のデータユニットの受信が成功したと信じているため、第２のデータユニットを送信する。この場合、受信機は、予期した再送データユニットではなく、新しいデータユニットが送信されたことを検出する。この場合は、受信機は第１のデータユニットに関する再送を予期できないため、タイマーを停止し、第１のデータユニットの再送を要求する信頼性の高いフィードバックメッセージを送信する。
【００３１】
本発明の原理は、ある種の追加的な特長に基づいて修正されうる。別の一実施形態においては、第２フィードバックフォーマットは高い信頼性を要求するデータ（フロー）に関してのみ送信されてもよい。また別の一実施形態においては、ステータスメッセージの送信は、ＡＣＫ／ＮＡＣＫフィードバックの信頼性に依存して起こってもよい。ＡＣＫ／ＮＡＣＫフィードバックの復号に基づいて、送信機は、ＡＣＫ／ＮＡＣＫメッセージの信頼性を決定してもよい。非常に信頼性の高い（“確からしい”）ＡＣＫに関しては、どの様なステータスメッセージも送信する必要は無い。そのような場合、送信機と受信機のウィンドウは、どの様な高水準のステータスメッセージも用いずに、進められる。しかし、“不確かな”ＡＣＫ／ＮＡＣＫの受信時には、さらに信頼性の高いフィードバックを用いてそのプロトコルステートを更新するために、送信機は、ステータスメッセージに関する要求を送信してもよい。一実施形態においては、ステータスメッセージに関する“ポーリング（ｐｏｌｌ）”は、ステータスに関する速い要求を達成するために、ＡＲＱに関する信号送信内において（例えば、アウトバンド信号送信を用いて）実現される。また、そのポーリングは、データユニット内のフラグによって指示されてもよい。
【００３２】
ＮＡＣＫが受信されたとき、遅延を最小限に抑えるために、対応するデータユニットは、即座に再送されることが好ましい。しかし、（復号メトリックから決定されうる）ＮＡＣＫメッセージの信頼性が低い場合は、再送が不要であり、効率の低減をまねく危険がある。この問題を扱うために、受信されたＮＡＣＫの信頼性が特定の閾値より高い場合だけ、受信機は、即座に再送を行ってもよい。信頼性が閾値より低い場合は、データユニットを再送すべきかどうかに関する信頼性の高い指示を含む信頼性の高いステータスメッセージを受信するまで、データユニットはバッファに格納される。この特性は、信頼性の低いＡＣＫに関する前述されたポーリング特性と組み合わせられ、適時のステータスメッセージの送信を達成する。資源が限られている場合、システムに高負荷がかかっている間はさらに信頼性の高い閾値が用いられるように、“不確かな”フィードバックに基づく再送処理に関する閾値は、システム負荷に適応されてもよい。
【００３３】
ＡＣＫ／ＮＡＣＫおよびステータスメッセージの両方のフィードバックメッセージが同じデータユニットについての情報を提供するので、同じデータユニットの複数の再送が行われる危険がある。ＡＣＫ／ＮＡＣＫフィードバックが特定のデータユニットの再送を引き起こす場合には、受信機によってステータスメッセージが送信された時点において送信機による再送が完了していない可能性がある。（あるいは、データユニットが再送されても、まだ受信機によって受信されておらず、処理されていない可能性がある。）この場合は、同じプロトコルデータユニットが、ステータスメッセージによって２度目の再送を要求され、不必要な再送が行われる可能性がある。この問題は、ステータスメッセージ内にタイムリファレンス（例えば、フレーム番号）を含むことによって解決される。タイムリファレンスは、ステータスメッセージが送信された時点で、どの時点まで（すなわち、どのフレームまで）データユニットが受信されたとみなされるかを示す。ステータスメッセージを受信したときに、示された時間（すなわちフレーム）より後に再送された（あるいはＡＣＫ／ＮＡＣＫフィードバックによって再送要求された）あらゆるデータユニットがステータス通知（status report）内で要求された場合、送信機は、そのデータユニットを再送すべきでないと決定することができる。
【００３４】
最後に、両方の種類のフィードバックメッセージが同じプロトコルステートに関するので、受信に成功したステータスメッセージフィードバックと比較することで、ＡＣＫ／ＮＡＣＫフィードバックのエラー率を評価することができる。ＡＣＫ／ＮＡＣＫフィードバックに関して決定されたエラー率は、例えば送信電力およびダイバーシティ等の伝送パラメータを適応することによって信号送信を修正すべきかどうかの指標として利用されてもよい。
【００３５】
以上、本発明につて詳細に記述したが、本発明の属する技術の分野における通常の知識を有する者であれば、本発明の技術的思想および技術的視野の範疇から離れることなく本明細書において記載された実施形態例に対する各種の変更、代用、交替に想到しうる。本明細書において提示された実施形態例は、本発明の原理を説明するものであって、本発明を網羅するものではなく、開示された形式に限定するものでもない。本発明の技術的視野は、本明細書に添付された特許請求の範囲および相当する部分によって定義される。
【図面の簡単な説明】
【００３６】
【図１】本発明に基づく統合された再送プロトコルを示した概略図である。
【図２】受信機に関する再送プロトコルの概略的な方法を示したフロー図である。
【図３】送信機における、本発明の原理に基づく統合された再送プロトコルの実施形態例を示したフロー図である。
【図４】受信機における、本発明の原理に基づく統合された再送プロトコルの実施形態例を示したフロー図である。
【図５】送信機の送信バッファに関する本発明の操作を示した説明図である。
【図６】図６は図６ａおよび図６ｂを含む。フィードバックエラーを検出するために用いられるタイマーの操作を示したメッセージシーケンス図である。
【図７】図７は図７ａおよび図７ｂを含む。タイマーの操作をさらに示したメッセージシーケンス図である。
【図１】
2008543167.tif 000003
【図２】
2008543167.tif 000004
【図３】
2008543167.tif 000005
【図４】
2008543167.tif 000006
【図５】
2008543167.tif 000007
【図６】
2008543167.tif 000008
【図７】
2008543167.tif 000009
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
無線通信システム内においてデータユニットの再送を制御する方法であって、
送信機からの複数のデータユニットを受信機において受信するステップと、
前記複数のデータユニットのそれぞれの受信に応じて、前記受信機において前記データユニットの復号を試みるステップと、
前記データユニットの復号が成功した場合は、前記受信機による前記データユニットの復号が成功したことを前記送信機に通知する肯定フィードバックを、前記受信機から前記送信機に送信するステップと、
前記データユニットの復号が成功しなかった場合は、前記受信機による前記データユニットの復号が成功しなかったことを前記送信機に通知する否定フィードバックを、前記受信機から前記送信機に送信するステップと、
前記肯定あるいは否定フィードバックを送信するための、少なくともチャネル特性に関して異なる第１または第２フィードバックメカニズムを選択するステップと、
前記複数のデータユニットの１つを識別する明示的な情報を含むステータスメッセージを、前記受信機から前記送信機へ送信するステップと、
を含むことを特徴とする方法。
【請求項２】
請求項１に記載の方法であって、前記肯定フィードバックには肯定応答（ＡＣＫ：ＡＣＫｎｏｗｌｅｄｇｅｍｅｎｔ）メッセージを含み、前記否定フィードバックには否定応答（ＮＡＣＫ：Ｎｏｎ−ＡＣＫｎｏｗｌｅｄｇｅｍｅｎｔ）メッセージを含むことを特徴とする方法。
【請求項３】
請求項２に記載の方法であって、前記ＡＣＫおよびＮＡＣＫメッセージは同期フィードバックとしてのシングルデータビットから構成されることを特徴とする方法。
【請求項４】
請求項２に記載の方法であって、前記複数のデータユニットのそれぞれの受信に応じて、前記ＡＣＫおよびＮＡＣＫメッセージのうちいずれか１つが無条件で送信されることを特徴とする方法。
【請求項５】
請求項１に記載の方法であって、前記第１および第２フィードバックメカニズムは第１および第２無線チャネルを利用することを特徴とする方法。
【請求項６】
請求項１に記載の方法であって、前記明示的な情報は、１以上の明示的なタイミングリファレンスを含むことを特徴とする方法。
【請求項７】
請求項１に記載の方法であって、前記明示的な情報は、１以上のデータユニットシーケンス番号を含むことを特徴とする方法。
【請求項８】
請求項１に記載の方法であって、前記ＡＣＫおよびＮＡＣＫメッセージは第１無線チャネルで送信され、前記ステータスメッセージは第２無線チャネルで送信されることを特徴とする方法。
【請求項９】
請求項１に記載の方法であって、前記第１フィードバックメカニズムは信頼性の低い伝送方法を利用することを特徴とする方法。
【請求項１０】
請求項１に記載の方法であって、前記第２フィードバックメカニズムは信頼性の高い伝送方法を利用することを特徴とする方法。
【請求項１１】
請求項５に記載の方法であって、前記第１および第２無線チャネルは共通の搬送周波数を利用することを特徴とする方法。
【請求項１２】
請求項１に記載の方法であって、前記複数のデータユニットをあらかじめ決められた個数受信したとき、あるいは、あらかじめ決められたタイムインタバルの後に、前記ステータスメッセージが送信されることを特徴とする方法。
【請求項１３】
請求項１に記載の方法であって、前記ステータスメッセージは前記送信機からの要求に応じて送信されることを特徴とする方法。
【請求項１４】
請求項１３に記載の方法であって、前記送信機からの要求は、前記複数のデータユニットのうち１つのデータユニットの内部にあるフラグであることを特徴とする方法。
【請求項１５】
請求項７に記載の方法であって、前記ステータスメッセージは、順に受信が成功した複数の前記データユニットのうち最大の番号を有するデータユニットを示すシングルシーケンスポジション識別子を含むことを特徴とする方法。
【請求項１６】
請求項１に記載の方法であって、前記ステータスメッセージは、前記複数のデータユニットのうち正しく受信されたそれぞれのデータユニットに関するシーケンスポジション識別子を含むことを特徴とする方法。
【請求項１７】
請求項１に記載の方法であって、前記ステータスメッセージは、前記複数のデータユニットのうち正しく受信されなかったそれぞれのデータユニットに関するシーケンスポジション識別子を含むことを特徴とする方法。
【請求項１８】
請求項１に記載の方法であって、前記ステータスメッセージは、前記ステータスメッセージが正しく受信されたかどうかを前記送信機が検証するための巡回冗長検査（ＣＲＣ：Ｃｙｃｌｉｃ  Ｒｅｄｕｎｄａｎｃｙ  Ｃｈｅｃｋ）値を含むことを特徴とする方法。
【請求項１９】
請求項１に記載の方法であって、前記送信機は、対応する肯定応答（ＡＣＫ）メッセージの受信に応じて送信されたデータユニットを送信バッファから削除するのではなく、
前記受信機による前記データユニットの復号が成功したことを示すステータスメッセージの受信に応じて送信されたデータユニットを送信バッファから削除することを特徴とする方法。
【請求項２０】
請求項１に記載の方法であって、前記送信機は、前記否定フィードバックの受信に応じてデータユニットを再送することを特徴とする方法。
【請求項２１】
請求項２０に記載の方法であって、さらに、前記受信機によって前記否定フィードバックの送信内のエラーを検出する段階を含むことを特徴とする方法。
【請求項２２】
請求項２１に記載の方法であって、前記検出は、予期される再送データユニット以外のデータユニットを受信したか否かに基づいていることを特徴とする方法。
【請求項２３】
請求項２１に記載の方法であって、前期検出は、前記否定フィードバックが送信されたことで予期される再送データユニットの受信前に、タイマーが期限切れとなることに基づいていることを特徴とする方法。
【請求項２４】
請求項２３に記載の方法であって、前記肯定あるいは否定フィードバックは、前記タイマーの期限が切れることに応じて、前記第２フィードバックメカニズムを用いて送信されることを特徴とする方法。
【請求項２５】
無線通信システム内において使用される、受信されたデータユニットの再送を制御するよう機能する受信機の操作方法であって、前記方法は、
それぞれのデータユニットがシーケンス番号を含む、複数の前記データユニットを送信機から受信するステップと、
前記複数のデータユニットのそれぞれの受信に応じて、ぞれぞれの前記データユニットの復号を試みるステップと、
前記データユニットの復号が成功した場合は、前記受信機による前記データユニットの復号が成功したことを前記送信機に通知する肯定応答（ＡＣＫ）メッセージを前記送信機に送信するステップと、
前記データユニットの復号が成功しなかった場合は、前記受信機による前記データユニットの復号が成功しなかったことを前記送信機に通知する否定応答（ＮＡＣＫ）メッセージを前記送信機に送信するステップと、
前記複数のデータユニットに対応する１以上のシーケンスポジション識別子を含むステータスメッセージを、前記送信機に送信するステップと、
を含み、
前記ＡＣＫあるいはＮＡＣＫは、第１無線チャネルで前記送信機に送信され、
前記ステータスメッセージは、第２無線チャネルで前記送信機に送信される
ことを特徴とする方法。
【請求項２６】
請求項２５に記載の方法であって、前記ＡＣＫおよびＮＡＣＫメッセージはシングルビットから構成されることを特徴とする方法。
【請求項２７】
請求項２５に記載の方法であって、前記第１無線チャネルは信頼性の低い伝送方法を利用することを特徴とする方法。
【請求項２８】
請求項２５に記載の方法であって、前記第２無線チャネルは信頼性の高い伝送方法を利用することを特徴とする方法。
【請求項２９】
請求項２５に記載の方法であって、前記ステータスメッセージが、前記複数のデータユニットをあらかじめ決められた個数受信すると、自動的に送信されることを特徴とする方法。
【請求項３０】
請求項２５に記載の方法であって、前記ステータスメッセージは前記送信機からの要求に応じて送信されることを特徴とする方法。
【請求項３１】
請求項３０に記載の方法であって、前記送信機からの要求は、前記複数のデータユニットのうち１つのデータユニットの内部にあるフラグであることを特徴とする方法。
【請求項３２】
請求項２５に記載の方法であって、前記ステータスメッセージは、順に受信が成功した複数の前記データユニットのうち最大の番号を有するデータユニットを示すシングルシーケンスポジション識別子を含むことを特徴とする方法。
【請求項３３】
請求項２５に記載の方法であって、前記ステータスメッセージは、前記複数のデータユニットのうち正しく受信されたそれぞれのデータユニットに関するシーケンスポジション識別子を含むことを特徴とする方法。
【請求項３４】
請求項２５に記載の方法であって、前記ステータスメッセージは、前記複数のデータユニットのうち正しく受信されなかったそれぞれのデータユニットに関するシーケンスポジション識別子を含むことを特徴とする方法。
【請求項３５】
請求項２５に記載の方法であって、前記ステータスメッセージは、前記ステータスメッセージが正しく受信されたかどうかを前記送信機が検証するための巡回冗長検査（ＣＲＣ）値を含むことを特徴とする方法。
【請求項３６】
無線通信システム内において使用される、選択的にデータユニットを再送するよう機能する送信機の操作方法であって、前記方法は、
受信機に送信される複数のデータユニットを送信バッファ内に一時的に格納するステップと、
それぞれがシーケンス番号を含む前記複数のデータユニットを、前記受信機に送信するステップと、
前記受信機によって、前記複数のデータユニットのそれぞれの受信に応じて、前記受信機における前記データユニットの復号が試みられ、
前記データユニットの復号が成功した場合は、前記受信機による前記データユニットの復号が成功したことを前記送信機に通知する肯定応答（ＡＣＫ）メッセージが送信され、
前記データユニットの復号が成功しなかった場合は、前記受信機による前記データユニットの復号が成功しなかったことを前記送信機に通知する否定応答（ＮＡＣＫ）メッセージが送信され、
前記送信機は、前記肯定応答（ＡＣＫ）および否定応答（ＮＡＣＫ）メッセージを、第１無線チャネルで前記受信機から受信するステップと、
前記複数のデータユニットに対応する１以上のシーケンスポジション識別子を含むステータスメッセージを、第２無線チャネルで前記受信機から受信し、
前記受信機による前記データユニットの復号が成功したことを示すステータスメッセージに応じて、前記送信機は送信されたデータユニットを前記送信バッファから削除するステップと、
を含むことを特徴とする方法。
【請求項３７】
請求項３６に記載の方法であって、前記ＡＣＫおよびＮＡＣＫメッセージはシングルビットから構成されることを特徴とする方法。
【請求項３８】
請求項３６に記載の方法であって、前記ＡＣＫおよびＮＡＣＫメッセージは前記シーケンスポジション識別子を含まないことを特徴とする方法。
【請求項３９】
請求項３６に記載の方法であって、前記第１無線チャネルは信頼性の低い伝送方法を利用することを特徴とする方法。
【請求項４０】
請求項３６に記載の方法であって、前記第２無線チャネルは信頼性の高い伝送方法を利用することを特徴とする方法。
【請求項４１】
請求項３６に記載の方法であって、前記ステータスメッセージは前記送信機からの要求に応じて受信されることを特徴とする方法。
【請求項４２】
請求項４１に記載の方法であって、前記送信機からの要求は、前記複数のデータユニットのうち１つのデータユニットの内部にあるフラグであることを特徴とする方法。
【請求項４３】
請求項３６に記載の方法であって、前記ステータスメッセージは、順に受信が成功した複数の前記データユニットのうち最大の番号を有するデータユニットを示すシングルシーケンスポジション識別子を含むことを特徴とする方法。
【請求項４４】
請求項３６に記載の方法であって、前記ステータスメッセージは、前記複数のデータユニットのうち正しく受信されたそれぞれのデータユニットに関するシーケンスポジション識別子を含むことを特徴とする方法。
【請求項４５】
請求項３６に記載の方法であって、前記ステータスメッセージは、前記複数のデータユニットのうち正しく受信されなかったそれぞれのデータユニットに関するシーケンスポジション識別子を含むことを特徴とする方法。
【請求項４６】
請求項３６に記載の方法であって、前記ステータスメッセージは、前記ステータスメッセージが正しく受信されたかどうかを前記送信機が検証するための巡回冗長検査（ＣＲＣ）値を含むことを特徴とする方法。
【請求項４７】
請求項３６に記載の方法であって、前記送信機は、前記データユニットが搬送されなかったか、あるいは復号に失敗したことを示す、対応するＮＡＣＫメッセージあるいはステータスメッセージの受信に応じてデータユニットを再送することを特徴とする方法。
【国際調査報告】
2008543167.tif 000010
2008543167.tif 000011
2008543167.tif 000012
2008543167.tif 000013